(57)【要約】　　　（修正有）【課題】次亜塩素酸又は亜塩素酸含有殺菌水を長期間、安定した濃度で使用できるよう、噴射時に生成することを目的とし、しかも手軽に使用可能な、殺菌水生成方法、及びこれに使用される、スプレイ式貯蔵缶とこれを使用したスプレー式殺菌装置を提供する。【解決手段】１缶スプレイ式殺菌装置６は貯蔵缶体１７の頭部に２つの噴射手段１１−５、１１−６を有し、この貯蔵缶体１７の中に内蔵された、２つの内側容器１３と１４が柔軟でしかも、耐薬品性の材質、例えばポリプロピレンなど、幾つかの材質から成る、多層フィルムによって成形された袋容器であり、一方に次亜塩素酸ソーダ及び又は亜塩素酸ソーダや苛性ソーダを入れ、他方に塩酸、酢酸、過飽和炭酸ガス含有水、などの酸の少なくても一つを入れ、噴射用ガス空間１８にＬＰガスや窒素ガスなどを圧力充填し、指で押して使用するキャップ２２の内部に混合システムをもうけ、噴射先端部に噴霧状態を調整するノズル部を設けた。【選択図】　図６
2004024796.tif 000002
【特許請求の範囲】
【請求項１】
２つの缶容器内に、または２つの内側容器を有する１つの缶容器内に、少なくとも２種類の殺菌水生成用薬液を混合しないようにして、圧縮性ガスまたは液化ガスと共に充填し、前記２つの缶容器または前記２つの内側容器の一方には、塩酸または酢酸、過飽和炭酸ガス含有水その他の有機酸や硫酸などの、いずれか一つ又は複数の酸の希釈溶液を入れ、他方には次亜塩素酸塩及び又は亜塩素酸塩、苛性ソーダの何れか一つ又は複数の混合液からなる希釈溶液を入れ、前記缶容器内に充填した前記圧縮性ガスまたは前記液化ガスによって、少なくても２種類の薬液が同時に噴出させる機構と、この噴出薬液を混合させる管路及び又は機構を有し、先端部近傍に噴射ノズルを備えた殺菌水生成装置において次亜塩素酸濃度または二酸化塩素濃度が５ｐｐｍ〜１０００ｐｐｍでｐＨ２．５〜７．７になるようにすることを特徴とするスプレー式殺菌水生成方法。
【請求項２】
前記次亜塩素酸塩及び又は亜塩素酸塩の希釈溶液が苛性ソーダによりｐＨ８以上に調整された希釈溶液であることを特徴とする請求項１記載のスプレー式殺菌水生成方法。
【請求項３】
混合しないように、別々に収納された、少なくとも２種類の前記殺菌水生成用薬液の全てに含まれる、塩化ナトリュームの総濃度が０．６〜１．２％の範囲になるよう調整された殺菌水生成用薬液であることを特徴とする請求項１記載のスプレー式殺菌水生成方法。
【請求項４】
２つの缶容器内がポリエチレン、ポリプロピレン、フッ素系樹脂、塩化ビニール系樹脂、ゴム系材質その他の耐薬剤性素材等の保護材で内表面を耐腐食処理された貯蔵缶容器であることを、特徴とする請求項１乃至３の何れかに記載のスプレー式殺菌水生成方法。
【請求項５】
また前記２つの缶容器のそれぞれに、前記保護材で作られた柔軟で変形可能なバッグ状の内側容器が１つずつ前記圧縮性ガスまたは前記液化ガスと共に収容され、前記内側容器内に前記ガス等が混入しないようになっていることを、特徴とする請求項１乃至４の何れかに記載のスプレー式殺菌水生成方法。
【請求項６】
１つの前記缶容器内に前記保護材で作られた２つの柔軟で変形可能なバッグ状の内側容器と前記圧縮性ガスまたは前記液化ガスが共に収納され、前記内側容器内の薬液どうしと前記圧縮性ガスまたは前記液化ガスがいずれも互いに混合しないようになっていることを、特徴とする請求項１乃至４の何れかにの記載のスプレー式殺菌水生成方法。
【請求項７】
１つの前記缶容器内に前記保護材で作られた１つの柔軟で変形可能なバッグ状の内側容器と前記圧縮性ガスまたは前記液化ガスが共に収納され、前記内側容器内に前記少なくても２種類の殺菌水生成用薬液の内、一方が収納され、他方は缶容器と内側容器の間に、前記圧縮性ガスまたは前記液化ガスと共に収納され、内側容器内の薬液と互いに混合しないようになっていることを、特徴とする請求項１乃至４の何れかにの記載のスプレー式殺菌水生成方法。
【請求項８】
２つの内側容器を有する１つの缶容器内に、少なくとも２種類の殺菌水生成用薬液を、２つの前記保護材で作られた柔軟で変形可能なバッグ状の内側容器内に混合しないよう別々に収納し、圧縮性ガスまたは液化ガスを缶容器内に、内側容器の外側に充填し、前記２つの内側容器の一方には、塩酸または酢酸、炭酸、過飽和炭酸ガス含有水、その他の有機酸や硫酸などの、いずれか一つ又は、複数の酸の希釈溶液を入れ、他方には次亜塩素酸塩及び又は亜塩素酸塩の希釈溶液を入れ、少なくても２種類の薬液を、前記圧縮性ガスまたは液化ガスの圧力下に貯蔵することを特徴とする殺菌水生成材料の貯蔵缶。
【請求項９】
１つの前記保護材で作られた柔軟で変形可能なバッグ状の内側容器を有する、内表面がフッ素樹脂コーティング等の耐腐食処理を施した１つの缶容器内に、少なくても２種類の殺菌水生成用薬液を互いに混合しないよう、前記内側容器内及び内側容器と缶容器との間に、一方には塩酸または酢酸、炭酸その他の有機酸や硫酸などの、いずれか一つ又は、複数の酸の希釈溶液を入れ、他方には次亜塩素酸塩及び又は亜塩素酸塩の希釈溶液を共に充填し、少なくても２種類の薬液を前記圧縮性ガスまたは液化ガスの圧力下に貯蔵することを特徴とする殺菌水生成材料の貯蔵缶。
【請求項１０】
前記缶容器が噴射手段を有し、該噴射手段を開くと加圧下にある前記殺菌水生成用薬液が前記噴射手段によって噴射されることを特徴とする請求項８乃至９記載の殺菌水生成材料の貯蔵缶。
【請求項１１】
前記次亜塩素酸塩及び又は亜塩素酸塩の希釈溶液が苛性ソーダによりｐＨが８以上で１２以下に調整された希釈溶液であることを特徴とする請求項８乃至１０記載の殺菌水生成材料の貯蔵缶。
【請求項１２】
混合しないように別々に収納された、少なくとも２種類の前記殺菌水生成用薬液の、塩化ナトリュームの総濃度が０．６〜１．２％の範囲になるよう調整されたことを特徴とする請求項１１記載の殺菌水生成材料の貯蔵缶。
【請求項１３】
前記缶容器内に充填される圧縮性ガス又は、液化ガスが空気、窒素ガス、ＬＰＧなどの圧縮性ガス、炭酸ガス、又はこれらの２つ以上の混合ガスであることを特徴とする請求項１１乃至１２の何れかに記載の殺菌水生成材料の貯蔵缶。
【請求項１４】
少なくても２種類の薬液を貯蔵した前記缶容器内に充填した前記圧縮性ガスまたは前記液化ガスによって、少なくても２種類の薬液を同時に噴出させる機構とこの噴出薬液を混合させて、次亜塩素酸濃度または、二酸化塩素濃度が５ｐｐｍ〜１０００ｐｐｍでｐＨ２．５〜７．７の殺菌水に混合する機構と、先端部近傍に噴射ノズルを備え、前記殺菌水を噴射ノズルより噴射する機構を有する請求項１３記載の殺菌水生成材料の貯蔵缶を使用するスプレー式殺菌装置。
【請求項１５】
前記噴射ノズルより噴射する機構が直噴射、シャワー状噴射、細かい霧状噴射、閉状態のいずれか一つを選択できるようになっていることを特徴とする、請求項１４記載のスプレー式殺菌装置。
【請求項１６】
前記噴射ノズルより噴射する機構の噴射部に基端部が接続されるとともに、先端側に行くに従って広がっているカバーを取り外し自由に装着できるような機構を有する請求項１４乃至１５の何れかに記載のスプレー式殺菌装置。
【請求項１７】
前記カバーが円錐状、釣鐘状、またはベローズ状の形状を有しほぼ透明であることを特徴とする請求項１６記載のスプレー式殺菌装置。
【請求項１８】
前記カバーが柔軟であってしかも所定の形状維持機能を有することを特徴とする請求項１４乃至１５の何れかに記載のスプレー式殺菌装置。
【発明の詳細な説明】
【０００１】
【発明の属する技術分野】
本発明は、手で簡単に持ち運びできる缶容器で、その内側面を耐薬品性及び耐腐食性処理を施したものに、塩酸または酢酸、炭酸、その他の食品に使用可能な有機酸や硫酸などの、いずれか一つ又は複数の酸の希釈溶液を入れ、また、もう一つの缶容器には次亜塩素酸塩及び又は亜塩素酸塩、苛性ソーダの何れか一つ又は複数の混合液からなる希釈溶液を入れ、圧縮性ガスまたは液化ガスと共に充填し、或いは、一つの缶容器に前記２区分類の薬剤と圧縮性ガスまたは液化ガスを互いに混合しないようにして、共に充填し、前記２区分類の薬剤が同時に噴射される途中で両者が混合し、所定のｐＨ及び次亜塩素酸又は亜塩素酸濃度をえられるようにしたもので、しかも濃度の安定を保ちながら長期間保存できて、簡単に持ち運べる、スプレー式殺菌方法及び殺菌装置に関する。
【０００２】
【従来の技術】
従来から、手で簡単に持ち運びできる缶容器の、内側面を耐薬品性及び耐腐食性処理を施したものに、殺菌剤を、圧縮性ガスまたは液化ガスと共に充填し、指で簡単に殺菌剤を、噴射して使用できるものは市販されているので、一般に良く知られている。しかし、塩化ベンゼルコニュームとアルコール等の混合液などが多く、これは手にべたつき、しかも食品に直接噴霧することはできなかった。
【０００３】
又、消毒用アルコール液を噴射して、食品や手などに使用する殺菌スプレーは知られていたが、アルコール自体が手あれの原因になり、女性の多い職場で使用するには、この問題は作業者の悩みであった。
【０００４】
又、アルコールは使用し続けると耐性菌が発生するため、もっと殺菌スペクトルの広い、ウイルスから真菌まで、殺菌できて、耐性菌の生まれない、しかも手あれもしない殺菌剤がないかと、求められていた。
【０００５】
近年、次亜塩素酸が非常に幅広い、ほとんど全ての菌に、殺菌力があることが知られている、（例えば、特公平６−７３６７５号特許広報参照）しかも、近年、手あれが殆どなく、アレルギー性もないことが認められてきた。
【発明が解決しようとする課題】
一般に、このような装置は市販過程で４５℃程度まで夏場、温度の上がる倉庫などに保管される場合が多い、しかし、アルカリ性の次亜塩素酸ソーダと違い、次亜塩素酸はｐＨ５．５〜６．５程度の酸性域が、特に効果が高いとされるもので、酸性に保たなければ成らないものである、しかし次亜塩素酸自体の性質から、温度の高い所で、長期間安定して保存することができないという、商品として流通在庫上難しい問題があった。
【０００６】
又、５００ｐｐｍの次亜塩素酸などを、圧縮性ガスまたは液化ガスを用いて高圧下で缶容器に、スプレー噴射用として貯蔵した場合、４５℃程度までの高い温度環境に保管すると、１週間もしない内に濃度が半減してしまった。
【０００７】
又、このようなスプレー式の手軽な殺菌装置を必要とする条件は、例えば、救急車の付属品としては、緊急な血液洗浄と同時に完全な殺菌を必要とする場合に求められるものであり。また軍隊やテロによる、生物化学兵器からの人体や環境の殺菌などの場合は、いつ急に必要に成るかわからないため、さまざまな在庫環境と使用状況において、安定した殺菌力を保持していることが求められる性質のものである。従来の市販されている商品も、次亜塩素酸の利用方法も、こうした要求に十分答えることが難しかった、又、手軽に次亜塩素酸を、広く有効的に利用する方法がなかった。
【０００８】
又病院の殺菌剤としてはアルコールの消費量が莫大なコストを要して経営を圧迫している、しかも、昨年、５０％のアルコール殺菌からセラチア菌の耐性菌が生まれ、セラチア菌による院内感染が、死者を出す大きな問題になった、注射バリからの感染と言われているが、点滴やさまざまな治療において手元の殺菌は、より厳格にすればするほどコストがかかるものとなる、しかも手軽に使用できるものでないと、現場で使われないと言う課題があった。
【課題を解決するための手段】
【０００９】
本発明はこのような点を考慮してなされたものであり、小型のスプレイ式殺虫器、例えば、商品名「キンチョール」などのような缶容器に５ｐｐｍ〜１０００ｐｐｍでｐＨ２．５〜７．７の範囲に調整されるように、次亜塩素酸塩又は、亜塩素酸塩を、使用して効果の高い殺菌液を作り、長期間濃度の安定を保つためには、次亜塩素酸や亜塩素酸として作って置くのではなく、使用する時に、少なくても２つ以上の薬剤を、瞬時に混合反応させて生成させ、殺菌作用が安定的に維持される、スプレイ式の殺菌装置として、手軽に使用できるようにした方法と装置を提供するものである。
【００１０】
簡単な方法としては、２つの缶容器の内側面をポリエチレン、ポリプロピレン、フッ素系樹脂、塩化ビニール系樹脂、ゴム系材質その他の耐腐食素材等の保護材で耐腐食処理された缶容器として、１つの缶容器には、食品添加物に使用が認められている、次亜塩素酸ソーダ又は、亜塩素酸ソーダが、所定の濃度に調整されたものを入れ、
【００１１】
他方の缶容器には、これを酸性にするための、希塩酸、酢酸、硫酸、炭酸、過飽和炭酸ガス含有水又は、これらの混合液を入れて、この２つの缶容器の噴射機構が、同時に押されて、２つの缶容器から同時に噴出し、それぞれの液が噴射ノズルの手前で混合し所定のｐＨと濃度に調整できるものが好ましい。
【００１２】
こうした、２つの缶容器に別々に保存して使用時に混合するものは、比較的大容量の殺菌液を確保できるため、軍隊や災害用に適しており、病院などにおいては、１つの缶容器の中を、２つの袋容器を備え酸溶液とアルカリ溶液が、それぞれの液を噴出時に、混合して殺菌溶液を生成できるのが好ましい。
【００１３】
前記少なくても２種類以上の液を、２つのポリエチレン、ポリプロピレン、フッ素系樹脂、塩化ビニール系樹脂、ゴム系材質その他の耐薬剤性の柔軟な素材等で作られた柔軟で変形可能なバッグ状の内側容器に充填し、更に圧縮性ガスまたは液化ガスと共に互いに混合しないように充填するのが好ましい。
【００１４】
１つの缶容器に２つの噴射口を設け、その噴出した液を、指で押して操作するキャップの中に、２区分液の混合管路や機構を設け、殺菌水を生成して、噴射出口には、霧状、直噴、又は停止、強弱などを調整できるノズルを設けて片手で持ち運べて、操作も片手でできるのが望ましい。女性のハンドバッグなどに入れられるほどに、小型化すると更に好ましい。
【００１５】
又、混合前のアルカリ溶液、例えば前記次亜塩素酸ソーダや亜塩素酸ソーダはアルカリで安定する性質があり、所定の濃度に水で薄めてしまうとアルカリのｐＨが下がり、２００ｐｐｍの次亜塩素酸ソーダではｐＨ８．５程度に下がってしまう、この状態では１０％程度の次亜塩素酸をすでに含有しているため、長期間の安定した保存には適さない、そこでＮａＯＨ苛性ソーダなどによりｐＨ９以上でｐＨ１２位までに、アルカリの強さを調整するのが望ましが、しかし軍隊などに於ける特殊な場合は過酷な条件での保存を考えｐＨ１３位まで高くするのも良い。
【００１６】
アルカリは強い方（ｐＨ数が多い方）が安定度は向上するが、混合後の殺菌水は、ｐＨを酸性にすることによって、殺菌効果が増大するため、混合前の酸のｐＨもより強い濃度（ｐＨ数が少ない方）にしなければならないので、保存期間や用途によって、アルカリのｐＨを決めるのが好ましい。
【００１７】
人体に殺菌水として使用する場合は人体の性質上、殺菌水の塩分濃度は生理食塩水と同程度の塩化ナトリューム濃度が望まれる、２区分液の内、１方の次亜塩素酸などにはＮａＣＬが多少含有しているが、約０．９％程度に塩化ナトリューム濃度を上げる場合は、他方の塩酸などの薬剤が入る酸側に塩化ナトリュームを加えて濃度調整をするのが、良く溶けるので好ましい。
【００１８】
また、２区分液の内、１方の塩酸などの薬剤が入る酸側に炭酸ガスを加えできた１０００ｐｐｍ以上の炭酸ガス溶存の炭酸を含有させると噴射時に患部において発泡作用が生じ、洗浄効果が生まれ、殺菌効果を一層向上させるもので、４０００ｐｐｍ程度の炭酸ガス溶存殺菌液ができるように、するのが好ましい。
【００１９】
過飽和の炭酸ガス含有水を使用して希釈を加える場合は、塩酸など、他の酸で、混合後の殺菌液のｐＨが６程度になるようにし、炭酸ガスの高濃度液で、混合後の殺菌液がｐｈ６以下に下げられるように調整した酸性ｐＨ調整液にするのが好ましい。
【発明の実施の形態】
以下、図面を参照して本発明の実施の形態について説明する。図１乃至図１４は本発明によるスプレー式殺菌水生成方法、及び殺菌水生成材料の貯蔵缶への薬液、圧縮性ガスまたは液化ガスの充填方法及び、スプレー殺菌装置の実施例を示す図である。
【００２０】
図１において、２区分２袋式貯蔵缶１は、２つの噴射手段１１−Ａと１１−Ｂの各々に、逆止弁１２−Ａと１２−Ｂがあり、これらを押し下げると逆止弁１２−Ａ及び１２−Ｂが開放され、それぞれが同時に噴射される構造になっているのが好ましい。
【００２１】
貯蔵缶体１７の中に、ポリエチレン、ポリプロピレン、フッ素系樹脂、塩化ビニール系樹脂、ゴム系材質その他の耐薬剤性素材等の、何れか１つの素材から成る保護材で作られた２つの柔軟で変形可能なバッグ状の内側容器１３と１４が収納されている。
【００２２】
又、貯蔵缶体１７の中には前記２つの内側容器の他に、噴射用ガス空間１８があり、ここに圧縮性ガスまたは液化ガスの何れか一つ例えばＬＰガス又は、窒素ガスが充填され、このガス圧により内側容器１３と１４は絶えず加圧状態に置かれている、この状態で１１−Ａ及び１２−Ｂを押すと、この圧力により噴射手段１１−Ａ及び１１−Ｂからこれに連通する内側容器内の各々の液が噴射させるようになっているのが好ましい。
【００２３】
図２において、１区分直式貯蔵缶２は、２本が一組で、スプレイ式殺菌装置の貯蔵缶として使用されるもので、噴射手段１１及び逆止弁１２を有し、この貯蔵缶１７−１の内側に向かって導出管１６が連結されている、又、この先端には錘１５が固着されており、常に貯蔵缶１７内の液が残りなく排出できるようになっているのが好ましい。
【００２４】
貯蔵缶１７は２本とも内側表面１０がポリエチレン、ポリプロピレン、フッ素系樹脂、塩化ビニール系樹脂、ゴム系材質その他の耐薬剤性素材等の何れかいつの又は複数の保護コーチング処理が施されているのが好ましい。
【００２５】
噴射用ガス空間１８に塩酸または酢酸、過飽和炭酸ガス含有水その他の有機酸や硫酸などの、いずれか一つ又は複数の酸の希釈溶液である酸溶液を入れ、これらの容液と共にＬＰガス又は、圧縮窒素ガスなどが充填されている、
【００２６】
これらの酸充填の貯蔵缶と、もう一つの缶に、内側表面１０に同じように処理した貯蔵缶体１７に、次亜塩素酸塩及び又は亜塩素酸塩、苛性ソーダの何れか一つ又は複数の混合液からなる希釈溶液であるアルカリ溶液を入れ、噴射用ガス空間１８にＬＰガスまたは窒素ガスをともに充填したものと２組で１セットである、１区分直式貯蔵缶２の一例を示す。
【００２７】
図３において２区分１袋式貯蔵缶３は、内側表面１０−１に前記保護材により耐薬品処理を施した貯蔵缶１７−２の中に前記、酸溶液又は、アルカリ溶液を入れ、一方は貯蔵缶体１７−２に直接充填し、
【００２８】
他方はポリプロピレン製等の耐薬品性素材による、柔軟な薄型多層に成っている内側容器２０の中に充填し、噴射ガス空間１８にはＬＰガスや窒素ガス等を圧力充填し錘１５の付いた導出管１６を介し逆止弁１２−３及び噴射手段１１−３を通って充填したＬＰガス等の圧力により排出されるのが好ましい。
【００２９】
図４において１区分１袋式貯蔵缶４は酸溶液と、アルカリ溶液の充填された、２本１組でスプレー式殺菌装置の貯蔵缶として使用されるもので、１つの貯蔵缶１７−４の中には前記、耐薬品性の保護材からなる柔軟な内側容器２１が逆止弁１２−４と噴射手段１１−４に外部と液密に接続している、
【００３０】
内側容器１７−４の内部には前記、酸溶液又は、アルカリ溶液のどちらかが充填されており噴射用ガス空間１８にはＬＰガス又は、窒素ガスなどが圧力充填されている、酸溶液が充填された貯蔵缶とアルカリ溶液が貯蔵された貯蔵缶とが２本１組でスプレー式殺菌装置の貯蔵缶として使用される１区分１袋式貯蔵缶４の一例を示す。
【００３１】
図５において混合噴射機構４は正面分解図と上面分解図を２次元的に作図したものであり、各々の液の流れをわかり易くしたものである、貯蔵缶体１７の中にある内側容器１３と１４から、矢印Ａ及びＢの方向に噴射用空間１８に圧力充填されたＬＰガスや窒素ガスなどの圧力により噴出し、逆止弁１２−Ｂと１２−Ａとを通って噴射手段１１−６と１１−５から混合管路２４、２５へ圧力流として流れ込む、
【００３２】
混合管路２５からの流れは回転流水翼２６−Ａの羽根の傾きにより図上左側に向かって回転を加えられながら反対側の混合管路２４から同じように圧力流として流れ込んだ液と回転流シャフト２６−Ｂの先端Ｒ部で広がるように衝突して、アルカリ溶液と酸溶液が小さなスペースでしかも瞬時に混合されるように、するのが好ましい。
【００３３】
衝突混合して殺菌水となった薬液は噴射管路３０を通り回転素子２８の外側と３方向素子２９の内側にある隙間から両素子により流れを強制されながら３つの流れになりノズルキャップ２３−Ａの先端噴射用の穴から回転素子の出口側部にある２方向からの切欠きを通り、これにより回転が加えられノズルキャップ２３−Ａの細い穴からすり鉢状に広がる霧状態から、直線流のように開かない流れまで、ノズルッキャップ２３−Ａを回転矢印Ｂ１又はＣ１の方向に回転して調整できるようになっているのが好ましい
【００３４】
図６において１缶スプレー式殺菌装置６は、キャップ２２を軽く指で押すと、内側容器１３と１４の２つに互いに分離されたアルカリ溶液と酸溶液の殺菌水生成材料が貯蔵缶体１７の中の噴射用ガス空間１８に圧力充填されたＬＰガス又は窒素ガスなどの圧力により、図７のキャップ２３から噴射される、
【００３５】
前記２つに分けられた液は、逆止弁１２−Ａを介して噴射手段１１−５から混合管路２５を通り薬液の混合機構２６の羽根により回転流を加えられながら噴出できるように成っているのが望ましい。
【００３６】
また他方の噴射手段１１−６からは噴射手段１１−５と同様に逆止弁１２−Ｂを介して、しかも同時に混合管路２４を通って薬液が噴射され前記薬液と衝突混合してｐＨと濃度が調整され図７に示す噴射用のノズルキャップ部２３から噴射される、
【００３７】
このときノズルキャップ部２３を左右どちらかに回動させることにより噴射流は停止、荒いシャワー状、細かい霧状、細い水流などに切り替えを、選択できるように成っているのが好ましい、２タイプの薬液を１つの貯蔵缶に収納した殺菌水生成材料の貯蔵缶を使用するスプレー式殺菌装置の一例である。
【００３８】
図８において１缶スプレー式殺菌装置６のＡ−Ａ矢視断面の図である、内側容器１４から逆止弁１２−Ｂを通り混合管路２４からノズル部２３に連通している状態をキャップ２２の中で、どのように成っているかをわかり易く図示したものである
【００３９】
図９において１缶スプレー式殺菌装置６のＦ−Ｆ矢視断面の図である、混合管路２４と２５から同時に噴出する２つに分離された薬液が一方は混合機構２６により回転流となり混合空間２７で、他方から噴出してくる液と、混合機構２６のシャフト先端、Ｒ形状の所で衝突する、
【００４０】
また、この流れは反対の混合管路２４からのながれと合流混合され、噴射管路３０を通り回転素子２８の外周と３方向素子２９の内側の隙間を通る、３つの流れに強制されながら回転素子２８の端部に切りかかれた２つの凹形切欠き部から回転を与えられるように合流し、
【００４１】
ノズルキャップ２３−Ａの先端に開いた小さな穴に向かい回転流の激しい流れとして噴射されることにより霧の状態になる、このときノズルキャップ２３−Ａを左右どちらかへ回動することにより噴射流は停止、荒いシャワー状、細かい霧状、細い水流などに切り替えを選択できるように成っているのが好ましい。
【００４２】
図１０において１缶スプレー式殺菌装置６のノズル部２３における直線流、シャワー噴射及び噴霧や停止などの切り替えにおいて個別の穴及び回転液流の生成構等を備えた切り替え素子３２とこの素子の切り替えを可能にするため、液の流れ方向を変更する流路強制素子３４により選択的に噴射流の停止、荒いシャワー状、細かい霧状、細い水流などを選択的に選べるようにした無断回調整とは異なる切り替え方法を示す。
【００４３】
図１１において１缶スプレー式殺菌装置６に取り付けた、先端部に鉛などの、細い針金状の形状維持具３６が付いた、透明で柔軟な先端が開放型の、治療カバー３５が蓐瘡などで、医師や看護師などに感染する細菌の膿３７などを、殺菌治療するときの飛び散り防止の治療カバー３５とを取り付けセットした使用状態を示す。
【００４４】
この他にも透明で柔軟な治療カバー３５の形状はベローズ式にしても良く、また患者さんの患部にヒットするならどんな形でも良く、治療カバーの形状は殺菌洗浄が安全にできるようなものが望ましい。
【００４５】
図１２において２本式スプレー殺菌装置７は、酸溶液とアルカリ溶液の殺菌水生成材料の入った２本の貯蔵缶を使用したスプレー式殺菌装置の上から見た図を示す、
【００４６】
異なる性質の、２つの殺菌水生成材料がそれぞれに収納されている貯蔵缶体１０−Ａと１０−Ｂの混合機構５２とノズル部との途中で前後に角度を変えられる回動軸部６０を有するノズル部２３を脱着自在に取り付ける、ネジキャップ６０−Ａがついている、
【００４７】
押しレバー５３はハンドル５４に付いている、レバー軸５３−１の軸を支点として引きがね状の、多端と一体に形成されたハンドル５４を、手で握りながら、押しレバー５３の引きがね部を軽く引くと混合機構５２を押し下げて各々の貯蔵缶体から、加圧内蔵されたＬＰガス又は窒素ガスの蓄積圧力により、同時に噴射され、ノズル部２３を矢印Ｂ−Ｃのどちらかの方向に調整することにより、さまざまな噴射状態で噴霧や直噴射流として利用できるようになっているのが望ましい。
【００４８】
このとき、貯蔵缶体に充填された殺菌水生成材料の濃度や薬剤の種類をあらかじめ選んでセット具５５にバンド５８で装着して置けば、混合機構５２において２つの液からｐＨ２．５〜７．７までの範囲で次亜塩素酸又は、亜塩素酸濃度で５ｐｐｍ〜１０００ｐｐｍの殺菌成分濃度の噴射流を得られるのが好ましい。
【００４９】
また殺菌水生成材料が生成と同時に使用されるため、各々の貯蔵缶体１０−Ａと１０−Ｂには、次亜塩素酸は新たに生成されていないため劣化が起こりにくく使用時に新鮮で濃度の安定を確保することができる。
【００５０】
図１４において消毒タワー機８は２本式スプレー殺菌装置７を装着した縦型ポール４７に足踏み式で手を触れずにスプレー式殺菌装置から殺菌水になった液を噴霧して手などを、殺菌することができるようにしたものである。
【００５１】
押し板４９は足踏みレバー４４とシャフト４６で上部のバネ４８を押し下げるようにセットされている、このバネ４８の反発力にこうして足で踏み下げることで２本スプレー式殺菌装置７の混合機構５２を押し下げて、噴射手段１１を開かせ、噴射を行なうようにするのが好ましい、
【００５２】
この縦型ポール４７には切断用の歯が付いたロールティシュホルダー４１とポリ袋４２の装着できるゴミ箱４５が備えられており、足踏みレバー４４を押し下げるとカム駒５１が下がりゴミ箱の蓋を押して開くようになっていると良い。
【００５３】
また消毒タワー機７に取り付けた、２本式スプレー殺菌装置７の押し板４９は重力に逆らう方向で下側バネ４３により、重さを支えられている、そのうえ、上方向には手で持ち上げるだけで、簡単に上げられて、２本式スプレー殺菌装置６を単体で持ち運び使用できて、病室内の緊急な、出血洗浄殺菌などに使用できるよう、消毒タワー機７から、簡単に分離できて、ハンディータイプになっているのが望ましい。
【００５４】
【発明の効果】
近年テロや地域戦争において細菌兵器が使用されるようになったが、これらの細菌は感染力を故意に強化した菌種であり、敏速な対応が必要である、しかし、古くから使用されているアルコールや塩化ベンザルコニュームなどはこうした菌種には殆ど効果がない。又Ｃ型やＢ型肝炎などはウイルスのため殺菌が困難である、しかし、こうした菌のほかにアフリカから人類が接触したことのない菌種が人の往来が激しい近代社会においては先進国の一般社会生活の中に運ばれてエイズのように国を危うくしてしまう。
【００５５】
本発明はこうした事態を防ぐため、近年注目を集めている、エイズウイルスや真菌、ＭＲＳＡ、Ｏ１５７大腸菌、バンコマイシン耐性菌なども、簡単に殺菌できて、しかも人体に殆ど傷害を与えない、次亜塩素酸や亜塩素酸などを、簡単に使用できて、救急車の緊急時に傷口などの殺菌洗浄にも使用できるもの、
【００５６】
また食品の衛生管理、たとえばＨＡＣＣＰ（ハセップ基準）のためにも、また軍隊のテロに対する細菌防衛にも使用でき、このような場合は、次亜塩素酸や亜塩素酸濃度は１０００ｐｐｍ程度まで高いものも使用できる、しかも長期間安定的に保存ができる、ハンディータイプのスプレー式殺菌装置を安価に、しかも手軽に使える商品として市場に供給しようとするものであるから、現代のバイオ科学時代に、社会の健康と安全を作り出す効果がある。
【図面の簡単な説明】
【図１】本発明第一の実施形態を示し、２区分２袋式貯蔵缶の２液加圧保存形態を示す
【図２】本発明における殺菌水生成材料貯蔵缶の横倒し状態で１液加圧保存形態を示す
【図３】本発明における２区分１袋式貯蔵缶の２液加圧保存形態を示す
【図４】本発明における１区分１袋式貯蔵缶の１液加圧保存形態を示す
【図５】本発明における貯蔵缶の噴射手段に連結する混合噴射機構の詳細を示す
【図６】本発明における１缶スプレイ式殺菌装置の機構を示す
【図７】本発明における１缶スプレイ式殺菌装置のノズルキャップの調整手段を示す。
【図８】本発明における１缶スプレイ式殺菌装置の側面から見た断面構造形態を示す。
【図９】本発明における１缶スプレイ式殺菌装置の上部より操作するキャップ部の上面から見た断面構造形態を示す。
【図１０】本発明における１缶スプレイ式殺菌装置に於ける、ノズルキャップの調整手段の異なった切り替え手段の形態を示す。
【図１１】本発明における１缶スプレイ式殺菌装置の尊癒治療に於ける治療カバーの使用形態を示す。
【図１２】本発明における２本式スプレー殺菌装置の上から見た全体図を示す。
【図１３】本発明における２本式スプレー殺菌装置の横から見た全体図を士示す。
【図１４】本発明における病院などのＭＲＳＡ対策における、消毒タワー機の使用形態を示す。
【符号の説明】
１‥‥‥２区分２袋式貯蔵缶、２‥‥‥１区分直式貯蔵缶、３‥‥‥２区分１袋式貯蔵缶、４‥‥‥１区分１袋式貯蔵缶、５‥‥‥混合噴射機構、６‥‥‥１缶スプレー式殺菌装置、７‥‥‥２本式スプレー殺菌装置、８‥‥‥消毒タワー機、１０、１０−１、２０、２１‥‥‥内側表面、１１、１１−４、１１−５，１１−６‥‥‥噴射手段、１２、１２−４、１２−Ａ，１２−Ｂ‥‥‥逆止弁、１３、１４‥‥‥内側容器、１５‥‥‥錘、１６‥‥‥導出管、　１７，１７−１，１７−２，１７−３、１７−４‥‥‥貯蔵缶体、１８‥‥‥噴射用ガス空間、１９‥‥‥殺菌水生成材料、２２‥‥‥キャップ、２３‥‥‥ノズルキャップ部、２３−Ａ‥‥‥ノズルキャップ２４、２５‥‥‥混合管路、２６‥‥‥混合機構、２６−Ａ‥‥‥回転流水翼、２６−Ｂ‥‥‥回転流シャフト、２７‥‥‥混合空間、２８‥‥‥回転素子、２９‥‥‥３方向素子、３０‥‥‥噴射管路、３１‥‥‥切り替え素子ナット、３２‥‥‥切り替え素子、３３‥‥‥回転溝、３４‥‥‥流路強制素子、３５‥‥‥治療カバー、３６‥‥‥形状維持具、３７‥‥‥細菌の膿、３８‥‥‥患者の人体、４０‥‥‥２本式スプレー殺菌装置、４１‥‥‥ロールティシュホルダー、４２‥‥‥ポリ袋、４３‥‥‥下側バネ、４４‥‥‥足踏みレバー、４５‥‥‥ゴミ箱、４６‥‥‥シャフト、４７‥‥‥縦型ポール、４８‥‥‥バネ、４９‥‥‥押し板、５０‥‥‥ノズル回転機構部、５１‥‥‥カム駒、５２‥‥‥混合機構、５３‥‥‥押しレバー、５４‥‥‥ハンドル、５５‥‥‥セット具、５６‥‥‥底板、５７‥‥‥取り付けネジ、５８‥‥‥バンド、５９‥‥‥レバーバネ、６０‥‥‥回動軸部
【図１】
2004024796.tif 000003
【図２】
2004024796.tif 000004
【図３】
2004024796.tif 000005
【図４】
2004024796.tif 000006
【図５】
2004024796.tif 000007
【図６】
2004024796.tif 000008
【図７】
2004024796.tif 000009
【図８】
2004024796.tif 000010
【図９】
2004024796.tif 000011
【図１０】
2004024796.tif 000012
【図１１】
2004024796.tif 000013
【図１２】
2004024796.tif 000014
【図１３】
2004024796.tif 000015
【図１４】
2004024796.tif 000016